(57)【要約】本発明は、排泄物流出口アセンブリに関し、特に、男性トイレで一般に見かけられるタイプの小便便器用の排泄物流出口アセンブリに関する。機能的上端部および機能的下端部を有するとともに小便便器または溝の液体防臭弁を含む排泄物流出口内に挿入可能な伸長した円筒状の挿入部材が説明されており、前記挿入部材は、前記排泄物流出口の壁面に対して接近した嵌め合いを与えるような径方向の大きさに形成されているとともに、使用の際に前記下端部が前記液体防臭弁の液体内に伸びているように長手方向の長さが形成されている。そのような挿入部材を含む小便便器もまた説明されている。本発明はさらに、液体シール防臭弁を有する小便便器からのにおいの放出を低減する方法であって、前記方法は前記小便便器の流出口内に伸長した円筒状部材を挿入することを含み、前記伸長した部材は、前記排泄物流出口の壁面に対して接近した嵌め合いを与えるような径方向の大きさに形成されているとともに、使用の際に下端部が前記液体防臭弁の液体内に伸びているように長手方向の長さが形成されていることを特徴とする方法を提供する。
2004521204.tif 000002
【特許請求の範囲】
【請求項１】
便器または溝を有するとともに液体防臭弁を含む流出口を有する小便便器であって、
前記小便便器は伸長した円筒状の挿入部材を含んでおり、前記挿入部材は、機能的上端部および機能的下端部を有するとともに、前記流出口内に取り外し自在に挿入可能であり、前記挿入部材は、前記排泄物流出口の壁面に対して接近した嵌め合いを与えるような径方向の大きさに形成されているとともに、使用の際に前記下端部が前記液体防臭弁の液体内に伸びているように長手方向の長さが形成されていることを特徴とする小便便器。
【請求項２】
前記液体防臭弁はボトル防臭弁またはＰベンド防臭弁であることを特徴とする請求項１に記載の小便便器。
【請求項３】
機能的上端部および機能的下端部を有するとともに小便便器または溝の液体防臭弁を含む排泄物流出口内に挿入可能な伸長した円筒状の挿入部材であって、
前記挿入部材は、前記排泄物流出口の壁面に対して接近した嵌め合いを与えるような径方向の大きさに形成されているとともに、使用の際に前記下端部が前記液体防臭弁の液体内に伸びているように長手方向の長さが形成されていることを特徴とする挿入部材。
【請求項４】
前記挿入部材の内面に液体処理合成物が形成されていることを特徴とする請求項１ないし３のいずれかに記載の装置。
【請求項５】
前記挿入部材がその長さを増大させる延長部材をさらに備えていることを特徴とする請求項１ないし４のいずれかに記載の装置。
【請求項６】
液体シール防臭弁を有する小便便器からのにおいの放出を低減する方法であって、
前記方法は前記小便便器の流出口内に伸長した円筒状部材を挿入することを含み、
前記伸長した部材は、前記排泄物流出口の壁面に対して接近した嵌め合いを与えるような径方向の大きさに形成されているとともに、使用の際に下端部が前記液体防臭弁の液体内に伸びているように長手方向の長さが形成されていることを特徴とする方法。
【発明の詳細な説明】
【技術分野】
【０００１】
本発明は、排泄物流出口アセンブリに関し、特に、男性トイレで一般に見かけられるタイプの小便便器用の排泄物流出口アセンブリに関する。
【背景技術】
【０００２】
従来、小便便器の便器または溝(trough)には、トイレ領域に臭いガスが出てくるのを防止するために、Ｐベンド防臭弁またはボトル防臭弁の形をした水シール防臭弁が設けられている。しかしながら、防臭弁および流出口の内面上に石灰(limescale)が蓄積しやすい。また、水、特に硬水に含まれる無機物と尿に含まれる尿酸との反応によって尿酸塩が生成され、それもまた防臭弁や流出口の表面に蓄積しやすい。これらが防臭弁の水位より上に蓄積すると、臭いにおいがトイレ領域に放出されることになる。
【０００３】
ＷＯ９９／０７９５３における発明は、流出口に一方向弁を設けることで水シール防臭弁の必要性をなくしたウォータレス小便便器排出装置を提案することによりこの問題を解決しようとしている。
【発明の開示】
【発明が解決しようとする課題】
【０００４】
しかし、小便便器または溝を定期的にあらい流す従来の水洗装置を備えていないウォータレス小便便器に対して、使用者には偏見がある。そこで、本発明は、一般的に液体防臭弁を含む従来からの水洗小便便器と両立できる方法で上記問題を解決しようとするものである。
【課題を解決するための手段】
【０００５】
最も広い意味において、本発明は伸長した円筒状挿入部材を提供する。この挿入部材は、機能的上端部(operatively upper end)および機能的下端部(operatively lower end)を有するとともに、小便便器または溝の排泄物流出口(waste outlet)に挿入可能である。前記流出口は液体防臭弁を含む。ここにおいて、前記挿入部材は、排泄物流出口の壁面に対して接近した嵌め合い(close fit)を与えるような径方向の大きさに形成されており、かつ、使用の際に前記下端部が前記液体防臭弁の液体内に伸びているように長手方向の長さに形成されている。
【０００６】
また、本発明は、便器または溝を有し、そこから伸びる流出口を含む小便便器を提供する。前記流出口は液体防臭弁を含む。ここにおいて、前記小便便器は、機能的上端部および機能的下端部を有するとともに小便便器または溝の液体防臭弁を含む排泄物流出口に挿入可能である伸長した円筒状挿入部材を含んでいる。前記挿入部材は、排泄物流出口の壁面に対して接近した嵌め合いを与えるような径方向の大きさに形成されており、かつ、使用の際に前記下端部が前記液体防臭弁の液体内に伸びているように長手方向の長さに形成されている。
【０００７】
さらに、本発明は、液体シール防臭弁を有する小便便器からのにおいの放出を低減するための方法を提供する。この方法は、前記小便便器の流出口に伸長した円筒状部材を挿入することを含んでいる。前記伸長した円筒状部材は、排泄物流出口の壁面に対して接近した嵌め合いを与えるような径方向の大きさに形成されており、かつ、使用の際に下端部が前記液体防臭弁の液体内に延びるように長手方向の長さに形成されている
【０００８】
好ましくは、前記挿入部材の上端部は、一般に固形またはゲルの塊からなる、脱臭剤および／またはアカ除去剤または中和剤を受け止めるようになっている。
【０００９】
本発明の前記態様および他の態様は、以下において、添付図面を参照して単なる例示の方法でさらに詳細に説明されるであろう。
【発明を実施するための最良の形態】
【００１０】
図１および図２を参照すると、従来から男性トイレでよく見かけるタイプの小便便器は、図示されるようなボトル防臭弁１１の水シール防臭弁を介して、下水設備につながる排水パイプ１２に連結された便器１０を含む。排泄物流出口１３は、小便便器の最下部に形成された穴に挿入されている。排泄物流出口１３はネジを切った尾部(tail)１４を有しており、これにより流出口はナット１６によって小便便器の穴内の所定位置に固定されている。従来より、小便便器の上下には、液体の漏れを防止するために、シール部材１７が設けられている。ボトル防臭弁１１の入口もまた、排泄物流出口１３の尾部１４の端部に固定されている。ボトル防臭弁１１は、排水パイプ１２に連結可能な水平出口を有する。ボトル防臭弁１１の入口は鉛直パイプ２０を含んでおり、そのパイプの下端部は水平出口１５の下部エッジよりも下まで伸びている。この構成は、水平出口１５の下部エッジの高さまで水２１を防臭弁内に保持することを可能にし、これにより臭いガスが排水パイプ１２から小便便器１０を通ってトイレ内の大気中に出るのが防止される。
【００１１】
図３および図４を参照すると、本発明は、ほぼ円筒状の外観をなす伸長した挿入部材２２を提供している。挿入部材２２は、排泄物流出口１３およびボトル防臭弁の内部パイプ２０の各内面に対して接近した嵌め合いをなすように、径方向の大きさに形成されている。挿入部材２２の上端部２３は、排泄物流出口１３の外形に適合するような形状に形成されている。挿入部材２２は、その下端部２４が水２１内まで伸びるように、長手方向の長さが形成されている。
【００１２】
図示するように、挿入部材２２の上端部２３は、カバー部材３０を受け止めて係合してもよい。このような適合は、それぞれの部材についての複数の中間協働部材(inter-cooperating elements)によって達成されてもよいし、または、図示する実施形態のように、他方に対して押し嵌められる(push-fit)１つの部材だけによって達成されてもよい。カバー部材３０は、固形物の進入を防止するように機能し、好ましくは、キャップ３２の下に脱臭剤および／またはアカ除去剤または中和剤などを含んだ固形またはゲルの塊３１を受け入れている。別の実施形態では、カバー部材３０は挿入部材２２と一体成形されている。
【００１３】
本発明の挿入部材は、２つの方法でにおいを低減するのに役立つ。まず１つは、排泄物ユニット（排泄物流出口１３およびボトル防臭弁１１）の種々の構成部材間の接合部は、尿酸塩の蓄積が発生する主要な場所である。挿入部材２２はこれらの場所に尿が侵入するのを防止する。挿入部材は、尿酸塩が蓄積し始めるのをより困難にするより滑らかな内面を排泄物流出口アセンブリに与えるものであると考えることができる。しかしながら、本来的には、尿酸塩の蓄積が時間の経過によって挿入部材上になおも発生することが認められる。挿入部材２２は、小便便器内から所定位置に挿入されているので、小便便器排泄物流出口アセンブリを分解することなく、定期的に容易に交換できる。最初のテストは、交換が必要になるまでに挿入部材が約３ヶ月の間、所定位置に設置したままにできることを示している。従来は、尿酸塩の除去には、内部清掃のためにボトル防臭弁１１および排泄物流出口１３を取り外す必要があった。したがって、本発明は、尿酸塩除去の容易さとその仕事にかかる時間とに関して大きな利点を提供するものである。
【００１４】
好適な実施形態では、挿入部材２２の内面は、不溶性の尿酸塩を可溶性にするのに適した液体処理合成物(liquid treatment composition)でコーティングされており、これにより、ウォータレス設備では尿だけの流れによって、または、水洗装置では水流によってのいずれかで、尿酸塩を洗い流すことが可能になる。前記合成物は、例えば酵素および／または殺菌の合成物を含んでもよい。また、前記合成物は、代替または追加として、軟水化合成物を含んでもよい。
【００１５】
本発明はボトル防臭弁を有する小便便器を参照して説明されたが、本発明はＰベンドまたはＳベンドの防臭弁を用いた使用にも等しく適している。
【００１６】
図５は、上述した構成の変形例を示す。ここでは、挿入部材２２は、図示する実施形態では差し込み式取り付け(bayonet-type fitting)のような適当な手段によって、挿入部材２２の本体に取り付け可能な延長部材２２ａを含んでいる。実際には、異なる長さを有する延長部材の範囲が、全ての設備に適合するために有効である。
【００１７】
本発明の挿入部材は、防臭弁を組み込んだいかなる小便便器装置における使用にも適していることが認識されなければならない。本発明は、特に、従来の水洗小便便器装置における使用のために考案されたが、前記挿入部材はウォータレス装置においても利益を提供することになる。例えば、ＷＯ９９／０７９５３で提案されるような複雑なバルブ装置よりはむしろ、ウォータレス装置には、ガスが下水設備から小便便器へ流れるのを防止するために尿が液体シールを提供する防臭弁を設けることができる。このような解決策における塊３１は中和剤を含むことが都合がよい。
【図面の簡単な説明】
【００１８】
【図１】排泄物流出口を含む従来の小便便器の概略側面図。
【図２】排泄物流出口を含む従来の小便便器の概略断面図。
【図３】本発明の第２態様による小便便器アセンブリの実施形態の部分断面分解図。
【図４】図３の小便便器アセンブリを組み合わせた状態の断面図。
【図５】本発明にかかる小便便器挿入部材の別の実施形態の分解図。
【符号の説明】
【００１９】
１０…便器
１１…ボトル防臭弁
１２…排水パイプ
１３…排泄物流出口
１４…尾部
１５…水平出口
２０…鉛直パイプ
２２…挿入部材
２３…上端部
２４…下端部
３０…カバー部材
３２…キャップ
【国際公開パンフレット】
2004521204.tif 000003
2004521204.tif 000004
2004521204.tif 000005
2004521204.tif 000006
2004521204.tif 000007
2004521204.tif 000008
2004521204.tif 000009
2004521204.tif 000010
2004521204.tif 000011
2004521204.tif 000012
2004521204.tif 000013
2004521204.tif 000014
【国際調査報告】
2004521204.tif 000015
2004521204.tif 000016